(57)【要約】【課題】サンダルその他の履物のエスカレータによるつま先側の事故を防止する。【解決手段】エチレン酢酸ビニル共重合体とエチレンプロピレンゴムを主体とする樹脂を射出成形して、履物の底、かかと、甲皮等履物のパーツ全てを一体的に成形して得られた履物Ａにおいて、履物Ａのつま先４部分につま先カバーＢ１が取り付けられている。履物Ａがエスカレータに噛み込まれても、この履物Ａのつま先４部分に取り付けられているつま先カバーＢ１で履物Ａのつま先４部分を保護することができるので、エスカレータによるつま先側の事故を防止することができる。つま先カバーＢ１をポリエチレンその他の滑りやすい素材で形成すると、エスカレータによるつま先側の事故を一層防止することができる。【選択図】図１
0003137956.tif 000002
【実用新案登録請求の範囲】
【請求項１】
エチレン酢酸ビニル共重合体とエチレンプロピレンゴムを主体とする樹脂を射出成形して、履物の底、かかと、甲皮等履物のパーツ全てを一体的に成形して得られた履物であって、履物のつま先部分につま先カバーが取り付けられていることを特徴とするサンダルその他の履物。
【請求項２】
つま先カバーをポリエチレンその他の滑りやすい素材で形成することを特徴とする請求項１記載のサンダルその他の履物。
【請求項３】
つま先カバーにきのこ状の係止具が備えられ、この係止具を履物のつま先部分に形成されている孔に嵌め込んで履物のつま先部分につま先カバーを取り付けたことを特徴とする請求項１又は２記載のサンダルその他の履物。
【請求項４】
つま先カバーが履物のつま先の外側を覆う外カバーと、履物のつま先の内側にあてがわれる当て部材とからなり、履物のつま先部分に形成されている孔を介して前記外カバーと前記当て部材とを結合したことを特徴とする請求項１又は２記載のサンダルその他の履物。
【請求項５】
請求項１〜４のいずれかに記載のサンダルその他の履物であって、履物のかかと部分にはかかとカバーを取り付けておくことを特徴とするサンダルその他の履物。
【考案の詳細な説明】
【技術分野】
【０００１】
本考案は、エチレン酢酸ビニル共重合体とエチレンプロピレンゴムを主体とする樹脂を射出成形して、履物の底、かかと、甲皮等履物のパーツ全てを一体的に成形して得られたサンダルその他の履物に関するものである。
【背景技術】
【０００２】
エチレン酢酸ビニル共重合体とエチレンプロピレンゴムを主体とする樹脂を射出成形して、履物の底、かかと、甲皮等履物のパーツ全てを一体的に成形したサンダルその他の履物が提案されている（例えば、特許文献１参照）。
【０００３】
【特許文献１】登録実用新案第３１２８２２６号公報
【考案の開示】
【考案が解決しようとする課題】
【０００４】
サンダルその他の履物がエチレン酢酸ビニル共重合体とエチレンプロピレンゴムを主体とする樹脂からなる場合には、素材自体が滑りにくいので、エスカレータの黄色の線を踏むほどステップの奥に乗ったときエスカレータに噛み込まれやすく、足の指先まで巻き込まれるという事故が起りやすく、最悪の場合には指先を切断してしまうという大事故になりかねない。
【０００５】
本考案の第一の目的は、サンダルその他の履物のつま先がエスカレータに噛み込まれても、この履物のつま先部分に取り付けられているつま先カバーで履物のつま先部分を保護することができるようにし、エスカレータによるつま先側の事故を防止することにある。また、本考案の第二の目的は、前記つま先カバーを滑りやすい素材で形成することにより、エスカレータに噛み込まれそうになっても滑りやすいつま先カバーにより、サンダルその他の履物のつま先部分がエスカレータに噛み込まれるのを防止し、エスカレータによるつま先側の事故を一層防止することにある。
【課題を解決するための手段】
【０００６】
前記第一の目的を達成するために、本考案においては、エチレン酢酸ビニル共重合体とエチレンプロピレンゴムを主体とする樹脂を射出成形して、履物の底、かかと、甲皮等履物のパーツ全てを一体的に成形して得られた履物であって、履物のつま先部分につま先カバーが取り付けられていることを特徴とする。この場合には、サンダルその他の履物がエスカレータに噛み込まれても、この履物のつま先部分に取り付けられているつま先カバーで履物のつま先部分を保護することができるので、エスカレータによるつま先側の事故を防止することができる。
【０００７】
つま先カバーをポリエチレンその他の滑りやすい素材で形成することが望ましい。この場合には、サンダルその他の履物がエスカレータに噛み込まれそうになっても滑りやすいつま先カバーにより、この履物のつま先部分がエスカレータに噛み込まれるのを防止できるので、エスカレータによるつま先側の事故を一層防止することができる。
【０００８】
つま先カバーにきのこ状の係止具が備えられ、この係止具を履物のつま先部分に形成されている孔に嵌め込んで履物のつま先部分につま先カバーを取り付けるとよい。このようにした場合には、履物のつま先部分につま先カバーを極めて簡単に取り付けることができる。
【０００９】
つま先カバーが履物のつま先の外側を覆う外カバーと、履物のつま先の内側にあてがわれる当て部材とからなり、履物のつま先部分に形成されている孔を介して前記外カバーと前記当て部材とを結合するとよい。このようにした場合にも、履物のつま先部分につま先カバーを極めて簡単に取り付けることができる。
【００１０】
上記の場合において、履物のかかと部分にはかかとカバーを取り付けておくとよい。この場合には、エスカレータによるつま先側の事故だけでなく、エスカレータによるかかと側の事故も防止できる。
【考案の効果】
【００１１】
請求項１記載の考案によれば、サンダルその他の履物がエスカレータに噛み込まれても、この履物のつま先部分に取り付けられているつま先カバーで履物のつま先部分を保護することができるので、エスカレータによるつま先側の事故を防止することができる。
【００１２】
請求項２記載の考案によれば、サンダルその他の履物がエスカレータに噛み込まれそうになっても滑りやすいつま先カバーにより、この履物のつま先部分がエスカレータに噛み込まれるのを防止できるので、エスカレータによるつま先側の事故を一層防止することができる。
【００１３】
請求項３又は４記載の考案によれば、履物のつま先部分につま先カバーを極めて簡単に取り付けることができる。
【００１４】
請求項５記載の考案によれば、エスカレータによるつま先側の事故だけでなく、エスカレータによるかかと側の事故も防止できる。
【考案を実施するための最良の形態】
【００１５】
本考案によるサンダルその他の履物の一例を、図面に基づいて詳細に説明する。本考案による履物Ａは、エチレン酢酸ビニル共重合体とエチレンプロピレンゴムを主体とする樹脂を射出成形して、履物の底１、かかと２、甲皮３等履物Ａのパーツ全てを一体的に成形して得られたものである。そして、前記素材からなる履物Ａのつま先４部分には、図１(a)，(b)において符号Ｂ１で、図２(a)，(c)において符号Ｂ２で、図３(a)，(c)において符号Ｂ３で、図４(a)，(c)において符号Ｂ４で、図５において符号Ｂ５で示すつま先カバーが取り付けられている。
【００１６】
例えば、履物Ａのつま先４部分に図３(a)に示すつま先カバーＢ３が取り付けられている場合を例に挙げて説明すると、図６(b)に示すように、エスカレータＥの黄色の線ｅ’を踏むほどステップｅの奥に乗ってサンダルその他の履物Ａのつま先４がエスカレータＥに噛み込まれても、この履物Ａのつま先４部分に取り付けられているつま先カバーＢ３で履物Ａのつま先４部分を保護することができ、この履物Ａのつま先４部分に取り付けられているつま先カバーＢ３で履物Ａのつま先４部分を保護することができるので、エスカレータＥによるつま先側の事故を防止することができる。つま先カバーＢ１〜Ｂ２、Ｂ４〜Ｂ５の場合もつま先カバーＢ３の場合と同様の効果がある。
【００１７】
つま先カバーＢ１〜Ｂ５をポリエチレンその他の滑りやすい素材で形成することが望ましい。この場合には、サンダルその他の履物ＡがエスカレータＥの黄色の線ｅ’を踏むほどステップｅの奥に乗ってエスカレータＥに噛み込まれそうになっても滑りやすいつま先カバーＢ１〜Ｂ５により、この履物Ａのつま先４部分がエスカレータＥに噛み込まれるのを防止できるので、エスカレータＥによるつま先側の事故を一層防止することができる。
【００１８】
例えば、図２(a)に示すつま先カバーＢ２の場合には、このつま先カバーＢ２を接着剤により、図２(b)に示す履物Ａのつま先４外面に、図２(c)に示すように接着すればよい。この方法により、履物Ａのつま先４部分につま先カバーＢ２を取り付けることができる。なお、この取り付け方法が最も単純な手法であろう。
【００１９】
また、図３(a)に示すつま先カバーＢ３の場合には、その凹弧状の内面にきのこ状の係止具５を一体成形により形成しておき、この係止具５を履物Ａのつま先４部分に形成されている孔ａ’（ 図３(b)参照）に、図３(c)に示すように嵌め込めばよい。この場合には、履物Ａのつま先４部分につま先カバーＢ３を極めて簡単に取り付けることができる。
【００２０】
さらに、図４(a)に示す場合には、つま先カバーＢ４を履物Ａのつま先４の外側を覆う外カバーｂ４と、履物Ａのつま先４の内側にあてがわれる当て部材ｂ４’の２部品で構成し、履物Ａのつま先４部分に形成されている孔ａ’（図４(b)参照）を介して前記外カバーｂ４と前記当て部材ｂ４’とを図４(c)に示すように結合するとよい。この場合にも、履物Ａのつま先４部分につま先カバーＢ４を極めて簡単に取り付けることができる。
【００２１】
なお、前記外カバーｂ４と前記当て部材ｂ４’とを結合するに当っては、例えば、外カバーｂ４と前記当て部材ｂ４’のいずれか一方に雌部材６を、他方には雄部材７を形成しておき、前記雄雌両部材７，６を雄雌嵌合することにより、外カバーｂ４と当て部材ｂ４’とを結合すればよい。ここでは、雄雌両部材７，６の雄雌嵌合の一例として、きのこ状の雄部材７を筒状の雌部材６に嵌入する場合を例示したが、へそ状の雄部材を孔状の雌部材に嵌入するなど、一般的に知られている他の雄雌嵌合手段を広く採用することができる。
【００２２】
一方、図５に示すように、履物Ａのつま先４側につま先カバーＢ５を取り付けるとともに、履物Ａのかかと２部分にかかとカバーＣを取り付けておくとよい。この場合には、エスカレータによるつま先４側の事故だけでなく、エスカレータによるかかと２側の事故も防止できる。例えば、エスカレータＥの黄色の線ｅ’をかかと２で踏むような乗り方をしてエスカレータＥに噛み込まれそうになってもかかとカバーＣにより、この履物Ａのかかと２部分がエスカレータＥに噛み込まれるのを防止できるので、エスカレータＥによるかかと２側の事故を防止することができる。
【００２３】
なお、図１(a)、図３(a)及び図４(a)に示すように、つま先カバーＢ１，Ｂ３，Ｂ４のデザインに工夫を凝らしてデザイン性を高めると、サンダルその他の履物Ａの見映えも向上する。
【図面の簡単な説明】
【００２４】
【図１】サンダルその他の履物のつま先につま先カバーを取り付けた本考案の一例を示す概略図で、(a)は平面図、(b)は側面図である。
【図２】本考案に用いられるつま先カバーの一例を示す概略図で、(a)は最も単純な手法で取り付け得るつま先カバーの斜視図、(b)は(a)に示すつま先カバーを取り付ける履物の一例を示す断面図、(c)は(a)に示すつま先カバーを(b)に示す履物に取り付けた状態を示す断面図である。
【図３】本考案に用いられるつま先カバーの別の例を示す概略図で、(a)はその一例を示す斜視図、(b)は(a)に示すつま先カバーを取り付ける履物の一例を示す断面図、(c)は(a)に示すつま先カバーを(b)に示す履物に取り付けた状態を示す断面図である。
【図４】本考案に用いられるつま先カバーのさらに別の例を示す概略図で、(a)はその一例を示す斜視図、(b)は(a)に示すつま先カバーを取り付ける履物の一例を示す断面図、(c)は(a)に示すつま先カバーを(b)に示す履物に取り付けた状態を示す断面図である。
【図５】履物のつま先側につま先カバーを取り付けるとともに、履物のかかと部分にかかとカバーを取り付けた状態を示す側面図である。
【図６】本考案の一例であるサンダルその他の履物の効果を説明するための概略図であって、(a)はエスカレータの一例を示す概略斜視図、(b)は履物のつま先部分に図３(a)に示すつま先カバーが取り付けられている場合を例に挙げて、本考案の効果を説明する拡大斜視図である。
【符号の説明】
【００２５】
１…底、２…かかと、３…甲皮、４…つま先、５…きのこ状の係止具、６…雌部材、７…雄部材、Ａ…履物、ａ’…孔、Ｂ１〜Ｂ５…つま先カバー、ｂ４…外カバー、ｂ４’…当て部材、Ｃ…かかとカバー、Ｅ…エスカレータ、ｅ…ステップ、ｅ’…黄色の線。
【図１】
0003137956.tif 000003
【図２】
0003137956.tif 000004
【図３】
0003137956.tif 000005
【図４】
0003137956.tif 000006
【図５】
0003137956.tif 000007
【図６】
0003137956.tif 000008